(57)【要約】      （修正有）【課題】チューブのチューブプレートに対する取付位置の不用意な変動を防止することができると共に、ラグスクリュの不用意な回転を規制し且つ構成の簡略化と作業の容易化を図ることが可能な骨接合装置を提供する。【解決手段】一方の骨側から他方の骨側に向かって螺合されるラグスクリュ２５と、一方の骨の側面に沿って配置され貫通孔を有するチューブプレート５、ラグスクリュとチューブプレートとの間に配置されチューブプレートに対して着脱可能に取り付けられ、貫通孔に対応する中空部を備えていて該中空部にラグスクリュの基部が挿入されるチューブ１３と、チューブプレートの外側から貫通孔及び中空部を介してラグスクリュに螺合されラグスクリュひいては他方の骨を一方の骨側に引っ張るコンプレッションスクリュ３５と、チューブのチューブプレートに対する取付位置を保持する位置保持手段４４と、を具備したもの。  【選択図】図１
0003113928.tif 000002
【実用新案登録請求の範囲】
【請求項１】
接合対象になっている一方の骨側から他方の骨側に向かって螺合されるラグスクリュと、
上記一方の骨の側面に沿って配置され貫通孔を有するチューブプレート、
上記ラグスクリュとチューブプレートとの間に配置されると共にチューブプレートに対して着脱可能に取り付けられ、上記貫通孔に対応する中空部を備えていて該中空部に上記ラグスクリュの基部が挿入されるチューブと、
上記チューブプレートの外側から貫通孔及び上記中空部を介して上記ラグスクリュに螺合されラグスクリュひいては上記他方の骨を一方の骨側に引っ張るコンプレッションスクリュと、
上記チューブの上記チューブプレートに対する取付位置を保持する位置保持手段と、
を具備したことを特徴とする骨接合装置。
【請求項２】
請求項１記載の骨接合装置において、
上記位置保持手段は、上記チューブとチューブプレートの夫々の所定位置に穿孔された貫通孔と、それら貫通孔を介して上記一方の骨に差し込まれる位置保持ピンとから構成されていて、上記チューブを上記チューブプレートに取り付けた状態で上記夫々の貫通孔を介して上記一方の骨に上記位置保持ピンを打ち込むことにより、上記チューブの上記チューブプレートに対する取付状態を保持すると共にチューブプレートを上記一方の骨に対して仮固定するものであることを特徴とする骨接合装置。
【請求項３】
請求項２記載の骨接合装置において、
上記ラグスクリュはその横断面形状が多角形の軸部を備えていて、上記チューブの中空部の少なくとも一部はその横断面形状が多角形に形成されていることを特徴とする骨接合装置。
【請求項４】
請求項３記載の骨接合装置において、
上記ラグスクリュはその横断面形状が六角形の軸部を備えていて、上記チューブの中空部の少なくとも一部はその横断面形状が六角形に形成されていることを特徴とする骨接合装置。
【請求項５】
請求項４記載の骨接合装置において、
上記チューブプレートには別の貫通孔が穿孔されていて、該貫通孔を介して別の位置決めピンを上記一方の骨に打ち込むことによりチューブプレートを上記一方の骨に仮固定するものであることを特徴とする骨接合装置。    
【考案の詳細な説明】
【技術分野】
【０００１】
本考案は、例えば、大腿骨の頸部骨折時に骨折した部分を接合するために使用される骨接合装置に係り、特に、チューブのチューブプレートに対する取付位置の保持を可能にし、且つ、ラグスクリュの不用意な回転を規制しつつ構成の簡略化と作業の容易化を図ることができるように工夫したものに関する。
【背景技術】
【０００２】
骨接合装置としては、例えば、特許文献１、特許文献２がある。
【０００３】
【特許文献１】実用新案登録第３０４４９２３号公報
【特許文献２】特開２００３−３８５０８号公報
【０００４】
上記特許文献１、特許文献２は何れも本件実用新案登録出願人によるものである。この内、上記特許文献２の構成の一例を図７及び図８に示す。図７は骨接合装置の一部の構成を示す図であり、図８はその骨接合装置を使用して大腿骨の骨折部を接合する様子を示す図である。又、この場合には、図８に示すように、大腿骨１０１の頸部１０１ａに骨折が発生し、該骨折部を接合するための骨接合装置の構成を示す図であり、図８中骨折部を符号Ａで示す。又、図８中符号１０３は骨頭である。
【０００５】
まず、チューブプレート１０５があり、このチューブプレート１０５は、図８に示すように、大腿骨１０１の側部に沿った状態で配置されている。上記チューブプレート１０５は、一端側（図中上端側）において傾斜した状態で形成された貫通孔１０７を備えていると共に、該貫通孔１０７から他端側（図中下端側）に向かって別の４個の固定ネジ用孔１０９を所定のピッチで備えている。又、チューブプレート１０５の裏側には係合凹部１１０が設けられていて、該係合凹部１１０の内周側部にはガイド溝１１１が形成されている。又、チューブプレート１０５の裏面側は、大腿骨１０１に沿うように緩やかな円弧状に形成されている。
【０００６】
又、図７及び図８に示すように、上記構成をなすチューブプレート１０５にはチューブ１１３が着脱可能に取り付けられている。このチューブ１１３は、差込部としてのプレート１１５と、このプレート１１５に対して上下方向に所定の頸体角（α°）で一体化されている筒体１１７とから構成されている。上記プレート１１５はその外周部に段付部１１６を備えている。プレート１１５はその段付部１１６を上記チューブプレート１０５側に設けられたガイド溝１１１に差し込みながらガイドされて係合凹部１１０に着脱されるものである。
尚、図７及び図８はチューブ１１３をチューブプレート１０５に取り付けた状態を示している。
【０００７】
又、上記プレート１１５の筒体１１７との連結部には孔１１９が形成されていると共に、この孔１１９の下方には別の固定ネジ用孔１２１が形成されている。そして、上記孔１１９がチューブプレート１０５側の貫通孔１０９に合致すると共に、上記固定ネジ用孔１２１がチューブプレート１０５側の固定ネジ用孔１０９に合致することになる。又、プレート１１５の裏面側はチューブプレート１０５と同様に大腿骨１０１に沿うように緩やかな円弧状に形成されている。
又、筒体１１７には中空部１２３が形成されている。
【０００８】
また、上記筒体１１７内にはラグスクリュ１２５が挿入されている。このラグスクリュ１２５の先端部には雄ねじ部１２７が形成されている。この雄ねじ部１２７はタップ機能を有しており、その為、外周部が鋸歯状（ギザギザ状に）形成されていると共に、周方向１箇所に切欠部が１２７ａが形成されている。又、このラグスクリュ１２５には中空部１２９が形成されていて、この中空部１２９には雌ねじ部１３１が形成されている。又、ラグスクリュ１２５の基部には抜け止め用の筒部材１３３が圧入・固定されている。この筒部材１３３の内周面は六角形となっていて、図示しない治具の先端の六角形部を差し込むようになっている。上記治具はラグスクリュ１２５を骨頭１０３側にねじ込む時に使用するものである。
【０００９】
又、図８中符号１３５はコンプレッションスクリュであり、又、符号１３７は固定ネジとしてのコーティカルスクリュを示している。コーティカルスクリュ１３７は他の３箇所の固定ネジ用孔１０９においても螺合されるものであるが、図８中一箇所のみ示している。
【００１０】
又、上記チューブプレート１０５の上端には延長部１５１が設けられていて、該延長部１５１には固定ネジ差込用の孔１５３が形成されている。上記延長部１５１は所定角度だけ傾斜した状態で延長されていて、大腿骨１０１の側面に沿うように構成されているものである。上記孔１５３を介して、長尺のコーティカルスクリュ１５５を骨頭１０３に至るまで螺合させ、それによって、より強固な固定状態を得るようにしている。つまり、チューブ１１３の筒体１１７を挟んで上下で固定することになるので、位置ずれを確実に防止して強固な固定状態を維持できると共に、接合装置の不用意な回転を防止することができる。
【００１１】
上記構成に基づいてその作用を説明すると、例えば、大腿骨１０１の頸部１０１ａに骨折が発生した場合を例に挙げて説明する。まず、大腿骨１０１から骨頭１０３にかけて所定深さの孔を穿孔する。この穿孔した孔内であって骨頭１０３側に雌ネジ加工を施す。そして、そこにラグスクリュ１２５を雄ネジ部１２７を介して螺合させていく。その際、ラグスクリュ１２５の基部は上記チューブ１１３内の筒体１１７の中空部１２３内に挿入されている。
【００１２】
上記作用を詳しく説明すると、まず、ラグスクリュ１２５の基部をチューブ１１３の筒体１１７の中空部１２３内に挿入する。又、チューブ１１３の筒体１１７の中空部１３２の反対側より筒部材１３３を差し込むと共に図示しない治具の先端を差し込む。そして、筒部材１３３をラグスクリュ１２５の基部に圧入・固定しながら雄ネジ部１２７を介して螺合させていくものである。
尚、ラグスクリュ１２５自身にタップ機能を持たせたのは、接合後所定の養生期間経過後にラグスクリュ１２５を外す場合に、そのタップ機能を利用してねじ切りを行いながら抜けるようにするためである。
【００１３】
又、上記筒部材１３３をラグスクリュ１２５の基部に圧入・固定することにより、ラグスクリュ１２５のチューブ１１３からの抜けは防止される。つまり、ラグスクリュ１２５をチューブ１１３の先端側に抜こうとすると、筒部材１３３がチューブ１１３の筒体１１７の中空部１２３の縁部に当接してそれ以上の抜けが防止される。逆に、ラグスクリュ１２５をチューブ１１３の基部側に抜こうとすると、雄ネジ部１２７がチューブ１１３の筒体１１７の中空部１２３の縁部に当接してそれ以上の抜けが防止されるものである。
【００１４】
次に、大腿骨１０１の側部にチューブプレート１０５を沿わせるように配置していき、その際、上記チューブ１１３のプレート１１５をチューブプレート１０５の係合凹部１１０内に差し込む。次に、コンプレッションスクリュ１３５をチューブ１１３の筒体１１７内に差し込んでラグスクリュ１２５の基部の雌ねじ部１３１に螺合させていく。それによって、ラグスクリュ１２５ひいては骨頭１０３を大腿骨１０１側に引き寄せる。そして、骨折部Ａに圧迫を与える。後は、チューブプレート１０５の外側から複数本のコーティカルスクリュ１３７を固定ネジ用孔１０９を介して大腿骨１０１に螺合させることにより全体を固定する。
【考案の開示】
【考案が解決しようとする課題】
【００１５】
上記従来の構成によると次のような問題があった。
まず、チューブ１１３をチューブプレート１０５に取り付ける場合には、チューブ１１３のプレート１１５をチューブプレート１０５の係合凹部１１０内に差し込むことになるが、チューブ１１３のプレート１１５をチューブプレート１０５の係合凹部１１０内に一旦差し込んだ後に、プレート１１５が係合凹部１１０内において僅かに動いてしまうことがあり、それによって、チューブ１１３とチューブプレート１０５の位置関係が変動してしまうことがあった。
又、従来の場合には、ラグスクリュ１２５の不用意な回転を規制して強固な固定状態を維持するために
、チューブプレート１０５の上端に延長部１５１を設け、該延長部１５１に固定ネジ差込用の孔１５３を形成し、コーティカルスクリュ１５５を螺合させるように構成している。そのため、構成が複雑化してしまうと共に作業も煩雑なものとなっていた。
【００１６】
本考案はこのような点に基づいてなされたものでその目的とするところは、チューブのチューブプレートに対する取付位置の不用意な変動を防止することができると共に、構成の複雑化と作業の煩雑化を来たすことなくラグスクリュの不用意な回転を規制した構成を得ることが可能な骨接合装置を提供することにある。
【課題を解決するための手段】
【００１７】
上記課題を解決するべく本願考案の請求項１による骨接合装置は、接合対象になっている一方の骨側から他方の骨側に向かって螺合されるラグスクリュと、  上記一方の骨の側面に沿って配置され貫通孔を有するチューブプレート、上記ラグスクリュとチューブプレートとの間に配置されると共にチューブプレートに対して着脱可能に取り付けられ、上記貫通孔に対応する中空部を備えていて該中空部に上記ラグスクリュの基部が挿入されるチューブと、上記チューブプレートの外側から貫通孔及び上記中空部を介して上記ラグスクリュに螺合されラグスクリュひいては上記他方の骨を一方の骨側に引っ張るコンプレッションスクリュと、上記チューブの上記チューブプレートに対する取付位置を保持する位置保持手段と、を具備したことを特徴とするものである。
又、請求項２による骨接合装置は、請求項１記載の骨接合装置において、上記位置保持手段は、上記チューブとチューブプレートの夫々の所定位置に穿孔された貫通孔と、それら貫通孔を介して上記一方の骨に差し込まれる位置保持ピンとから構成されていて、上記チューブを上記チューブプレートに取り付けた状態で上記夫々の貫通孔を介して上記一方の骨に上記位置保持ピンを差し込むことにより、上記チューブの上記チューブプレートに対する取付状態を保持すると共にチューブプレートを上記一方の骨に対して仮固定するものであることを特徴とするものである。
又、請求項３による骨接合装置は、請求項２記載の骨接合装置において、上記ラグスクリュはその横断面形状が多角形の軸部を備えていて、上記チューブの中空部の少なくとも一部はその横断面形状が多角形に形成されていることを特徴とするものである。
又、請求項４による骨接合装置は、請求項３記載の骨接合装置において、上記多角形は六角形であることを上記ラグスクリュはその横断面形状が六角形の軸部を備えていて、上記チューブの中空部の少なくとも一部はその横断面形状が六角形に形成されていることを特徴とするものである。
又、請求項５による骨接合装置は、請求項４記載の骨接合装置において、上記チューブプレートには別の貫通孔が穿孔されていて、該貫通孔を介して別の位置決めピンを上記一方の骨に差し込むことによりチューブプレートを上記一方の骨に仮固定するものであることを特徴とするものである。    
【考案の効果】
【００１８】
以上詳述したように本考案による骨接合装置によると、接合対象になっている一方の骨側から他方の骨側に向かって螺合されるラグスクリュと、上記一方の骨の側面に沿って配置され貫通孔を有するチューブプレート、上記ラグスクリュとチューブプレートとの間に配置されると共にチューブプレートに対して着脱可能に取り付けられ、上記貫通孔に対応する中空部を備えていて該中空部に上記ラグスクリュの基部が挿入されるチューブと、上記チューブプレートの外側から貫通孔及び上記チューブの中空部を介して上記ラグスクリュに螺合されラグスクリュひいては上記他方の骨を一方の骨側に引っ張るコンプレッションスクリュと、上記チューブの上記チューブプレートに対する取付位置を保持する位置保持手段と、を具備した構成になっているので、位置保持手段によってチューブのチューブプレートに対する取付状態を保持することができ、それによって、チューブのチューブプレートに対する位置ずれに起因した各種不具合をなくすことができる。
又、位置保持手段としては様々な構成があるが、例えば、上記チューブとチューブプレートの夫々の所定位置に穿孔された貫通孔と、それら貫通孔を介して上記一方の骨に差し込まれる位置保持ピンとから構成して、上記チューブを上記チューブプレートに取り付けた状態で上記夫々の貫通孔を介して上記一方の骨に上記位置保持ピンを差し込むことにより、上記チューブの上記チューブプレートに対する取付状態を保持すると共にチューブプレートを上記一方の骨に対して仮固定するものとして構成することが考えられ、その場合には、簡単な構成でチューブのチューブプレートに対する位置ずれを防止することができると共にチューブプレートの一方の骨に対する仮固定もなすことができる。
又、上記ラグスクリュとして横断面形状が多角形の軸部を備えていて、上記チューブの中空部の少なくとも一部はその横断面形状が多角形に形成されているように構成した場合には、ラグスクリュの不用意な回転が規制されることになり、長期にわたって安定した取付状態を得ることができる。又、その際、従来のように、チューブプレートの上端を延長して別途コーティカルスクリュを螺合させる必要もなくなるので、構成の簡略化と作業の容易化を図ることができる。
又、多角形の一例としては多角形が想定される。
又、上記チューブプレートに別の貫通孔を穿孔して、該貫通孔を介して別の位置決めピンを上記一方の骨に差し込むことによりチューブプレートを上記一方の骨に仮固定するように構成した場合には、チューブのチューブプレートに対する位置を保持するための位置保持ピンによって仮固定するだけではなく、この位置決めピンによっても仮固定することになるので、より強固な仮固定が可能になる。
【考案を実施するための最良の形態】
【００１９】
以下、図１乃至図６を参照して本考案の一実施の形態を説明する。図１は本実施の形態による骨接合装置の分解斜視図であり、図２は骨接合装置の構成を示す正面図であり、図３はその骨接合装置を使用して大腿骨の骨折部を接合する様子を示す側面図である。又、この実施の形態の場合には、図３に示すように、大腿骨１の頸部１ａに骨折が発生し、該骨折部を接合するための骨接合装置に本願発明を適用した例を示すものであり、図３中骨折部を符号Ａで示す。又、図３中符号３は骨頭である。
【００２０】
まず、チューブプレート５があり、このチューブプレート５は、図３に示すように、大腿骨１の側部に沿った状態で配置されている。上記チューブプレート５は、一端側において傾斜した状態で形成された貫通孔７を備えていると共に、該貫通孔７から他端側に向かって別の５個の固定ネジ用孔９を所定のピッチで備えている。又、チューブプレート５の裏側には、図４（ｃ）に示すように、係合凹部１０が設けられていて、該係合凹部１０の内周側部にはガイド溝１１が形成されている。又、図５に示すように、チューブプレート５の裏面側は、大腿骨１に沿うように緩やかな円弧状に形成されている。
【００２１】
又、図１乃至図３に示すように、上記構成をなすチューブプレート５にはチューブ１３が着脱可能に取り付けられている。このチューブ１３は、図６にも示すように、差込部としてのプレート１５と、このプレート１５に対して上下方向に所定の頸体角（α°）で一体化されている筒体１７とから構成されている。上記プレート１５はその外周部に段付部１６を備えている。プレート１５はその段付部１６を上記チューブプレート５側に設けられたガイド溝１１に差し込みながらガイドされて係合凹部１０に着脱されるものである。
尚、図２及び図３はチューブ１３をチューブプレート５に取り付けた状態を示している。
【００２２】
又、図６に示すように、上記プレート１５の筒体１７との連結部には孔１９が形成されていると共に、この孔１９の下方には別の固ネジ用孔２１が形成されている。そして、上記孔１９がチューブプレート５側の貫通孔９に合致すると共に、上記固定ネジ用孔２１がチューブプレート５側の固定ネジ用孔９に合致することになる。又、プレート１５の裏面側はチューブプレート５と同様に大腿骨１に沿うように緩やかな円弧状に形成されている。
又、筒体１７には中空部２３が形成されている。
【００２３】
また、上記筒体１７内にはラグスクリュ２５が挿入されている。このラグスクリュ２５の軸部２６の先端部には雄ねじ部２７が形成されている。又、上記軸部２６はその外形の横断面形状が六角形となっている。上記雄ねじ部２７はタップ機能を有しており、その為、外周部が鋸歯状（ギザギザ状に）形成されていると共に、周方向１箇所に切欠部２７ａが形成されている。又、このラグスクリュ２５には中空部２９が形成されていて、この中空部２９には雌ねじ部３１が形成されていると共に基端側の内周面は六角形となっていて、図示しない治具の先端の六角形部を差し込むようになっている。上記治具はラグスクリュ２５を骨頭３側に螺合させていく時に使用するものである。又、ラグスクリュ２５の軸部２６の外形を六角形としたのは、ラグスクリュ２５の不用意な回転を規制するためである。
【００２４】
又、図３中符号３５はコンプレッションスクリュであり、又、符号３７は固定ネジとしてのコーティカルスクリュを示している。コーティカルスクリュ３７は５箇所の固定ネジ用孔９において夫々螺合されるものであるが、図１では二箇所、図３では一箇所のみ示している。
【００２５】
又、既に説明したチューブプレート５とチューブ１３のプレート１５の所定位置には、図１、図２、図３、図４、図６に示すように、微細な貫通孔４１、４３が夫々穿孔されている。これら貫通孔４１、４３を介して位置保持ピン４４を差し込んで大腿骨１に打ち込むことにより、チューブ１３のチューブプレート５に対する位置を固定すると共に、チューブプレート５を大腿骨１に対して仮固定するものである。又、上記チューブプレート５の下端部には別の貫通孔４５が穿孔されている。この貫通孔４５を介して位置決めピン４６を差し込んで大腿骨１に打ち込むことにより、チューブプレート５を大腿骨１に対して仮固定するものである。つまり、位置保持ピン４４と位置決めピン４６の二本のピンによって、チューブプレート５を大腿骨１に対して仮固定するものである。
【００２６】
以上の構成を基にその作用を説明する。一例として、異例えば、大腿骨１の頸部１ａに骨折が発生した場合を例に挙げて説明する。まず、大腿骨１から骨頭３にかけて所定深さの孔を穿孔する。この穿孔した孔内であって骨頭３側に雌ねじ加工を施す。そして、そこにラグスクリュ２５を雄ねじ部２７を介して螺合させていく。
【００２７】
上記作用を詳しく説明すると、まず、ラグスクリュ２５の基部に図示しない治具の先端を差し込んでラグスクリュ２５を回転させ、それによって、雄ねじ部２７を介して螺合させていく。
尚、ラグスクリュ２５自身にタップ機能を持たせたのは、接合後所定の養生期間経過後にラグスクリュ２５を外す場合に、そのタップ機能を利用してねじ切りを行いながら抜けるようにするためである。
又、ラグスクリュ２５自身がタップ機能を備えているので、骨頭３側に予め雌ねじ加工を施すことなく、自らねじ切りを行ないながら螺合していくようにしてもよい。    
【００２８】
次に、ラグスクリュ２５に対してチューブ１３を取り付けると共に大腿骨１の側部にチューブプレート５を沿わせるように配置していき、その際、上記チューブ１３のプレート１５をチューブプレート５の係合凹部１０内に差し込む。
そして、貫通孔４１、４３を介して位置保持ピン４４を差し込んで大腿骨１に打ち込む。それと同時に、貫通孔４５を介して位置決めピン４６を差し込んで大腿骨1に対して打ち込む。これによって、チューブ１３のチューブプレート５に対する位置は保持され、又、チューブプレート５は大腿骨１に対して仮固定されることになる。
【００２９】
次に、コンプレッションスクリュ３５をチューブ１３の筒体１７内に差し込んでラグスクリュ２５の基部の雌ねじ部３１に螺合させていく。それによって、ラグスクリュ２５ひいては骨頭３を大腿骨１側に引き寄せる。そして、骨折部Ａに圧迫を与える。後は、チューブプレート５の外側から複数本のコーティカルスクリュ３７を固定ネジ用孔９を介して大腿骨１に螺合させることにより全体を固定する。次に、打ち込んだ位置保持ピン４４と位置決めピン４６を引き抜く。
因みに、上記コンプレッションスクリュ３５によって骨折部Ａに圧迫を与えた後は、患者の体重が骨折部Ａに作用するので、コンプレッションスクリュ３５を除去してもよい。
【００３０】
以上本実施の形態によると次のような効果を奏することができる。
まず、チューブ１３をチューブプレート５に取り付ける場合には、チューブ１３のプレート１５をチューブプレート５の係合凹部１０内に差し込むことになるが、その際、貫通孔４１、４３を介して大腿骨１に位置保持ピン４４を打ち込んでその位置を固定するように構成しているので、チューブ１３のチューブプレート１５に対する取付位置の不用意な変動を防止することができる。
又、上記位置保持ピン４４を大腿骨１に打ち込むことにより、チューブプレート５を大腿骨１に対して仮固定することもできる。
又、ラグスクリュ２５の軸部２６の外形が六角形になっているので、ラグスクリュ２５が不用意に回転してしまうことを防止することができる。よって、従来のように、チューブプレート５の上端に延長部を設け、該延長部に固定ネジ差込用の孔を形成し、コーティカルスクリュを螺合させるように構成する必要はなく、構成の簡略化と作業の容易化を図ることができる。
又、チューブプレート５の下端には貫通孔４５が穿孔されていて、該貫通孔を介して大腿骨１に位置決めピン４６を打ち込むことによりチューブプレート５の位置を仮固定することができる。そして、既に説明した位置保持ピン４４による仮固定機能と相まってチューブプレート５を大腿骨１に対してより強固に仮固定することができ、チューブプレート５の位置の不用意な変動を防止することができる。
【００３１】
尚、本考案は前記一実施の形態に限定されるものではない。
まず、位置保持手段の構成としては図示したものに限定されず様々な構成が考えられる。
又、ラグスクリュの外形としては、六角形以外の多角形であることも想定される。
又、前記一実施の形態の場合には、大腿骨１の骨折を例に挙げて説明しているがそれに限定されるものではない。
その他図示した各部の構成は一例である。
【産業上の利用可能性】
【００３２】
本考案は、骨折時に骨折した部分を接合するために使用される骨接合装置に係り、特に、チューブのチューブプレートに対する取付位置の保持を可能にし、且つ、ラグスクリュの不用意な回転を規制しつつ構成の簡略化と作業の容易化を図ることができるように工夫したものに関し、例えば、大腿骨の骨折時に使用される骨接合装置に好適である。
【図面の簡単な説明】
【００３３】
【図１】本考案の一実施の形態を示す図で、骨接合装置の構成を示す分解斜視図である。
【図２】本考案の一実施の形態を示す図で、骨接合装置の構成を示す正面図である。
【図３】本考案の一実施の形態を示す図で、骨接合装置を使用して大腿骨の骨折部を接合している様子を示す側面図である。
【図４】本考案の一実施の形態を示す図で、図４（ａ）はチューブプレートの平面図、図４（ｂ）はチューブプレートの側面図、図４（ｃ）はチューブプレートの背面図である。
【図５】本考案の一実施の形態を示す図で、図５（ａ）は図４（ｂ）のａ−ａ矢視図、図５（ｂ）は図４（ｂ）のｂ−ｂ矢視図である。
【図６】本考案の一実施の形態を示す図で、図６（ａ）はチューブの側面図、図６（ｂ）はチューブの断面面である。
【図７】従来例を示す図で、骨接合装置の構成を示す正面図である。
【図８】従来例を示す図で、骨接合装置を使用して大腿骨の骨折部を接合している様子を示す側面図である。
【符号の説明】
【００３４】
１  大腿骨
１ａ  大腿骨の頸部
３  骨頭
５  チューブプレート
１３  チューブ
２５  ラグスクリュ
２６  六角形の軸部  
３５  コンプレッションスクリュ
３７、５５  コーティカルスクリュ
４１  貫通孔（位置保持手段の一部）
４３  貫通孔（位置保持手段の一部）
４４  位置保持ピン（位置保持手段の一部）
４５  貫通孔
４６  位置決めピン
Ａ  骨折部
【図１】
0003113928.tif 000003
【図２】
0003113928.tif 000004
【図３】
0003113928.tif 000005
【図４】
0003113928.tif 000006
【図５】
0003113928.tif 000007
【図６】
0003113928.tif 000008
【図７】
0003113928.tif 000009
【図８】
0003113928.tif 000010